(57)【要約】    【課題】      許容される処理遅延時間が例えば１スロット以下と極めて短い場合であっても、通信スループットを低下させることなく、受信信号のチャネル推定値の推定精度を向上させることのできるチャネル推定装置を提供すること。    【解決手段】  重み係数算出部１０６は、最大ドップラー周波数検出部１０５から入力されてくる位相変動量に応じて重み付け加算部１０７に保持されている基準スロットとその前後の１スロットずつとの計３スロットの受信信号に対する重み係数を算出し、算出された３つの重み係数を重み付け加算部１０７に通知する。重み係数算出部１０６は、復調タイミング検出部１０４から復調開始タイミングを通知されたときには、基準スロットとその前スロットとの計２スロットの受信信号に対する重み係数のみを算出し、算出された２つの重み係数と復調開始タイミングの到来情報とを重み付け加算部１０７に入力する。  【選択図】      図１
2005223671.tif 000002
【特許請求の範囲】
【請求項１】
受信信号の復調開始タイミングを検出する復調タイミング検出手段と、
前記受信信号のスロット毎に前記受信信号と重み係数とを乗算してスロット毎の乗積を算出し、基準スロットの乗積と前記基準スロットの前後のスロットの乗積とを加算して前記基準スロットのチャネル推定値を算出する場合に、検出された前記復調開始タイミング以降に受信される前記基準スロットの後のスロットを前記基準スロットの前記チャネル推定値の算出における加算対象から除外する重み付け加算手段と、を具備することを特徴とするチャネル推定装置。
【請求項２】
前記復調タイミング検出手段は、前記受信信号の通信方式を判別することによって前記復調開始タイミングを検出する、ことを特徴とする請求項１記載のチャネル推定装置。
【請求項３】
請求項１記載のチャネル推定装置を具備することを特徴とする基地局装置。
【請求項４】
受信信号の復調開始タイミングを検出する復調タイミング検出ステップと、
前記受信信号のスロット毎に前記受信信号と重み係数とを乗算してスロット毎の乗積を算出し、基準スロットの乗積と前記基準スロットの前後のスロットの乗積とを加算して前記基準スロットのチャネル推定値を算出する場合に、検出された前記復調開始タイミング以降に受信される前記基準スロットの後のスロットを前記基準スロットの前記チャネル推定値の算出における加算対象から除外する重み付け加算ステップと、を具備することを特徴とするチャネル推定方法。
【発明の詳細な説明】
【技術分野】
【０００１】
本発明は、Ｗ−ＣＤＭＡ(Wideband Code Division Multiple Access)方式のディジタル無線通信システム等において使用されるチャネル推定装置、基地局装置及びチャネル推定方法に関する。
【背景技術】
【０００２】
従来のチャネル推定装置は、受信信号に含まれるパイロットシンボルをスロット単位で重み付けし、重み付けされた受信信号を複数スロット分加算することによってチャネル推定値を算出する。このようなチャネル推定装置では、チャネル推定値の算出に使用される平均化長(スロット長及び重み係数)を受信信号の最大ドップラー周波数（ｆＤ）に応じて調節することにより、その推定精度を向上させている(例えば、特許文献１及び非特許文献１参照)。
【０００３】
図５に、従来の一般的なチャネル推定装置１０の構成を示す。チャネル推定装置１０は、相関器１１、乗算器１２、同相加算部１３、ｆＤ検出部１４、重み係数算出部１５及び重み付け加算部１６を具備する。
【０００４】
相関器１１は、図示しない受信処理部から入力されてくる受信信号に逆拡散処理を行い、逆拡散処理された受信信号を乗算器１２とｆＤ検出部１４とにそれぞれ入力する。
【０００５】
乗算器１２は、相関器１１から入力されてくる受信信号のパイロット部分(既知信号部分)にパイロットパターン(ＰＬパターン)を乗算し、ＰＬパターンが乗算された受信信号を同相加算部１３に入力する。
【０００６】
同相加算部１３は、乗算器１２から入力されてくる受信信号をスロット毎に同相加算して各スロットの同相加算値（チャネル推定値として利用可能）を算出し、算出された各スロットの同相加算値を重み付け加算部１６に入力する。なお、乗算器１２におけるＰＬパターンの乗算、並びに同相加算部１３における同相加算は、スロット単位での処理であり、各スロット内で乗算及び同相加算が行われる。
【０００７】
ｆＤ検出部１４は、相関器１１から入力されてくる受信信号のｆＤを検出し、検出されたｆＤを位相変動量に換算した後に、その位相変動量を重み係数算出部１５に入力する。
【０００８】
重み係数算出部１５は、ｆＤ検出部１４から入力されてくる位相変動量に応じて各スロットに乗算する重み係数を算出し、算出された重み係数を逐次重み付け加算部１６に通知する。
【０００９】
重み付け加算部１６は、同相加算部１３から入力されてくる受信信号を所定スロット分保持し、保持する複数のスロットに対して重み係数算出部１５から通知される各スロットの重み係数をそれぞれ乗算し、その乗積を複数スロット分加算した後に平均化することにより、各スロットにおける受信信号のチャネル推定値（スロット平均チャネル推定値）を算出する。より具体的には、重み付け加算部１６は、同相加算部１３から入力されてくる受信信号のあるスロット（以下、「基準スロット」と称す）についてチャネル推定値を算出する際に、基準スロットとその前後の１スロットずつとの計３スロット分の受信信号を保持し、基準スロットの後スロットが同相加算部１３から入力されてくるタイミングで重み係数算出部１５から通知される重み係数を３つのスロットそれぞれに乗算し、それら３つの乗積を加算して平均化する。このように、重み係数算出部１５及び重み付け加算部１６が基準スロットのみならずその前後のスロットをも使用して基準スロットの受信信号のチャネル推定値を算出することにより、フェージング変動によって基準スロットの受信信号の復調精度が劣化することを抑制することができる。従って、重み付け加算部１６における重み付け加算処理は、複数スロット間での処理となる。そして、重み付け加算部１６は、同相加算部１３から基準スロットの同相加算値が入力されてくるタイミングに１スロット遅れて、算出した基準チャネルのチャネル推定値を図示しないベースバンド部に逐次入力する。なお、ベースバンド部では、このチャネル推定値を使用して受信信号の復調処理を行う。
【特許文献１】特開２００２−３３７８０号公報
【非特許文献１】立川敬二監修，「Ｗ−ＣＤＭＡ移動通信方式」，丸善，平成１３年６月２５日，ｐ．５７−５９
【発明の開示】
【発明が解決しようとする課題】
【００１０】
しかしながら、従来のチャネル推定装置１０では、許容される処理遅延時間が短い場合、即ちチャネル推定装置１０に受信信号が入力されてから復調が開始されるまでの期間が短い場合には、重み付け加算部１６が生じさせるタイムラグによってチャネル推定値の生成が受信信号の復調開始タイミングに間に合わなくなり、その結果受信信号の復調精度が低下して、通信スループットが低下する問題がある。
【００１１】
例えば、３ＧＰＰ(3rd Generation Partnership Project)では、ＨＳ−ＤＰＣＣＨ(Dedicated Physical Control Channel (uplink) for HS-DSCH)で送信されるＨＡＲＱ−ＡＣＫ(Hybrid-ARQ Acknowledgement)やＣＱＩ(Channel Quality Indicator)情報についての処理遅延時間が規定されている。即ち、３ＧＰＰでは、ＨＡＲＱ−ＡＣＫやＣＱＩの受信完了から復調、復号結果の反映、スケジューリング、ＨＳ−ＳＣＣＨ(Shared Control Physical Channel for HS-DSCH)による送信までの許容時間がそれぞれ規定されている。
【００１２】
本発明はかかる点に鑑みてなされたものであり、許容される処理遅延時間が例えば１スロット以下と極めて短い場合であっても、通信スループットを低下させることなく、受信信号のチャネル推定値の推定精度を向上させることのできるチャネル推定装置を提供することを目的とする。
【課題を解決するための手段】
【００１３】
本発明に係るチャネル推定装置は、受信信号の復調開始タイミングを検出する復調タイミング検出手段と、前記受信信号のスロット毎に前記受信信号と重み係数とを乗算してスロット毎の乗積を算出し、基準スロットの乗積と前記基準スロットの前後のスロットの乗積とを加算して前記基準スロットのチャネル推定値を算出する場合に、検出された前記復調開始タイミング以降に受信される前記基準スロットの後のスロットを前記基準スロットの前記チャネル推定値の算出における加算対象から除外する重み付け加算手段と、を具備する構成を採る。
【００１４】
本発明に係るチャネル推定装置は、前記発明において、前記復調タイミング検出手段は、前記受信信号の通信方式を判別することによって前記復調開始タイミングを検出する構成を採る。
【００１５】
本発明に係る基地局装置は、前記発明に係るチャネル推定装置を具備する構成を採る。
【００１６】
本発明に係るチャネル推定方法は、受信信号の復調開始タイミングを検出する復調タイミング検出ステップと、前記受信信号のスロット毎に前記受信信号と重み係数とを乗算してスロット毎の乗積を算出し、基準スロットの乗積と前記基準スロットの前後のスロットの乗積とを加算して前記基準スロットのチャネル推定値を算出する場合に、検出された前記復調開始タイミング以降に受信される前記基準スロットの後のスロットを前記基準スロットの前記チャネル推定値の算出における加算対象から除外する重み付け加算ステップと、を具備するようにした。
【発明の効果】
【００１７】
本発明によれば、チャネル推定装置が受信信号の復調開始タイミングを予め把握してチャネル推定値の生成タイミングを調節するため、チャネル推定装置に許容される処理遅延時間が例えば１スロット以下と極めて短い場合であっても、通信スループットを低下させることなく、受信信号のチャネル推定値の推定精度を向上させて、受信信号の復調精度を改善することができる。
【発明を実施するための最良の形態】
【００１８】
本発明の骨子は、受信信号の復調開始タイミングを予め判別し、受信信号のチャネル推定値の算出時期を調節することにより、あるスロットの受信信号の復調開始タイミングまでにそのスロットに対応するチャネル推定値を確実に算出することである。
【００１９】
以下、本発明の実施の形態について、適宜図を参照しつつ詳細に説明する。
【００２０】
（実施の形態１）
図１は、本発明の実施の形態１に係るチャネル推定装置１００の構成を示すブロック図である。チャネル推定装置１００は、基地局装置や移動局装置等の無線通信装置に組み込まれて使用される。
【００２１】
本実施の形態では、基準スロットとその前後の１スロットずつとの受信信号のチャネル推定値にそれぞれ重み係数を乗算して、その３スロット分の乗積を平均化することによって基準スロットの受信信号のスロット平均チャネル推定値を算出するものとする。
【００２２】
チャネル推定装置１００は、相関器１０１、乗算器１０２、同相加算部１０３、復調タイミング検出部１０４、ｆＤ検出部１０５、重み係数算出部１０６及び重み付け加算部１０７を具備する。
【００２３】
相関器１０１は、図示しない受信処理部から入力されてくる受信信号に逆拡散処理を行い、逆拡散処理された受信信号を乗算器１０２、復調タイミング検出部１０４及びｆＤ検出部１０５にそれぞれ入力する。
【００２４】
乗算器１０２は、相関器１０１から入力されてくる受信信号のパイロット部分(既知信号部分)にＰＬパターンを乗算し、ＰＬパターンが乗算された受信信号を同相加算部１０３に入力する。
【００２５】
同相加算部１０３は、乗算器１０２から入力されてくる受信信号をスロット毎に同相加算して各スロットの同相加算値（チャネル推定値として利用可能）を算出し、算出された各スロットの同相加算値を重み付け加算部１０７に入力する。
【００２６】
復調タイミング検出部１０４は、相関器１０１から入力されてくる受信信号と図示しないベースバンド部から入力されてくる受信信号のチャネル情報（受信信号の通信方式によって異なる復調開始タイミングの周期情報を含む）とを参照して、復調開始タイミングの到来時期を検出し、復調開始タイミングが到来する直前のスロット（基準スロット）の受信信号が相関器１０１から入力されてきたときに、重み係数算出部１０６に復調開始タイミングが到来したことを通知する。
【００２７】
ｆＤ検出部１０５は、相関器１０１から入力されてくる受信信号のｆＤを検出し、検出されたｆＤを位相変動量に換算した後に、その位相変動量を重み係数算出部１０６に入力する。
【００２８】
重み係数算出部１０６は、ｆＤ検出部１０５から入力されてくる位相変動量に応じて重み付け加算部１０７に保持されている基準スロットとその前後の１スロットずつとの計３スロットの受信信号それぞれに対する重み係数を算出し、算出された３つの重み係数を逐次重み付け加算部１０７に通知する。また、重み係数算出部１０６は、復調タイミング検出部１０４から復調開始タイミングを通知されたときには、基準スロットとその前スロットとの計２スロットの受信信号に対する重み係数のみを算出し、算出された２つの重み係数と復調開始タイミングの到来情報とを重み付け加算部１０７に入力する。
【００２９】
重み付け加算部１０７は、同相加算部１０３から入力されてくる受信信号を基準スロットとその前後の１スロットずつとの計３スロット分保持し、保持する３つのスロットに対して重み係数算出部１０６から通知される重み係数をそれぞれ乗算し、その乗積を３スロット分加算した後に平均化することにより、基準スロットの受信信号のチャネル推定値を算出する。そして、重み付け加算部１０７は、基準スロットの受信信号のチャネル推定値を算出後直ちに図示しないベースバンド部に入力する。
【００３０】
また、重み付け加算部１０７は、重み係数算出部１０６から基準スロットとその前スロットとの計２スロットの受信信号に対する重み係数と、復調開始タイミングの到来情報と、を入力されたときには、基準スロットの後スロットの同相加算値が同相加算部１０３から入力されてくるまで待つことなく、直ちに基準スロットとその前スロットとの受信信号に重み係数を乗算し、その２つの乗積を加算後平均化して基準スロットの受信信号のチャネル推定値を算出する。そのため、重み係数算出部１０６から重み付け加算部１０７に復調開始タイミングの到来情報が入力されたときには、基準スロットの受信信号のチャネル推定値と、基準スロットの前スロットの受信信号のチャネル推定値と、の２つのチャネル推定値が同時に図示しないベースバンド部に入力されることになる。
【００３１】
次いで、チャネル推定装置１００の動作について、図２を用いてさらに具体的に説明する。図２は、３ＧＰＰで規定されているＣＱＩの復調を例として、ＣＱＩの復調に使用される受信信号の各スロットと、ＣＱＩの復調が実際に開始されるタイミング即ち復調開始タイミングと、の関係を示すタイミング図である。
【００３２】
３ＧＰＰでは、移動局装置から基地局装置に対してＨＳ−ＤＰＣＣＨで符号化された２スロットのＣＱＩ（図２ではSlot#m-1とSlot#m）と１スロットのＨＡＲＱ−ＡＣＫ（図２ではSlot#m-2）とが交互に送信されるように規定されている。従って、ＣＱＩは、ＨＳ−ＤＰＣＣＨにより３スロット単位（図２のSlot#m-2〜Slot#m）で、その内の２スロット（図２のSlot#m-1とSlot#m）を用いて送信されることになる。また、３ＧＰＰでは、ＣＱＩは２スロット分の長さに符号化されているため、ＣＱＩの復調は、その２スロット分（図２のSlot#m-1とSlot#m）の受信信号が受信された後に開始されることになる。
【００３３】
ここで、復調タイミング検出部１０４は、ベースバンド部から入力されてくるチャネル情報に基づいて、現在受信中のチャネルがＨＳ−ＤＰＣＣＨであることを判別し、ＣＱＩが３スロット単位でその内の２スロットを占有して送信されてくることを把握する。また、復調タイミング検出部１０４は、相関器１０１から入力されてくる受信信号に基づいて現在受信中の受信信号がＣＱＩであるかＨＡＲＱ−ＡＣＫであるかを識別し、さらにチャネル推定装置１００による通信スループットを低下させないＣＱＩの復調開始タイミングを検出して、その検出した復調開始タイミングまでの残り期間を算出する。
【００３４】
ＣＱＩの２スロット（図２のSlot#m-1とSlot#m）を受信した後に直ちにその復調を開始すれば、ＣＱＩの生成に遅延が発生しないので、本実施の形態では、復調タイミング検出部１０４がＣＱＩの２スロット（図２のSlot#m-1とSlot#m）を受信完了した時点を復調開始タイミングとして検出するものとする。
【００３５】
そして、復調タイミング検出部１０４は、検出した復調開始タイミングを重み係数算出部１０６に通知し、この通知を受けた重み係数算出部１０６は、ＣＱＩの前半スロット（図２のSlot#m-1）を基準スロットとする場合には、その基準スロット（図２のSlot#m-1）とその前後の１スロットずつ（図２のSlot#m-2とSlot#m）との計３スロットの受信信号に対する重み係数を算出し、算出後直ちに重み付け加算部１０７に入力する。一方で、重み係数算出部１０６は、ＣＱＩの後半スロット（図２のSlot#m）を基準スロットとする場合には、その基準スロット（図２のSlot#m）とその前スロット（図２のSlot#m-1）との２つのスロットに対する重み係数を算出して、算出後直ちに重み係数を重み付け加算部１０７に入力する。従って、ＣＱＩの前半スロット（図２のSlot#m-1）を基準スロットとする場合と、ＣＱＩの後半スロット（図２のSlot#m）を基準スロットとする場合と、の２つの場合の重み係数が、重み係数算出部１０６から重み付け加算部１０７に同時に入力されることになる。
【００３６】
重み付け加算部１０７は、復調開始タイミングにおいて重み係数算出部１０６から同時に入力されてくる前記２つの場合の重み係数を用いて、ＣＱＩの前半スロット（図２のSlot#m-1）及び後半スロット（図２のSlot#m）のスロット平均チャネル推定値を算出し、算出後直ちにこれらのチャネル推定値を図示しないベースバンド部に入力する。そして、ベースバンド部では、重み付け加算部１０７から入力されてくるチャネル推定値を用いて、ＣＱＩの復調が行われる。
【００３７】
従って、本実施の形態に係るチャネル推定装置１００では、各スロットの受信信号に重み係数を乗算してスロット毎の乗積を算出し、基準スロットの乗積と基準スロットの前後の１スロットずつの乗積とを加算後平均化することによって基準スロットの受信信号のチャネル推定値を算出する場合に、復調開始タイミング以降に受信される後スロットを基準スロットのチャネル推定値の算出における加算対象から除外することになる。
【００３８】
このように本実施の形態に係るチャネル推定装置１００によれば、ＣＱＩの後半スロット（図２のSlot#m）について、これを基準スロットとする場合に、その基準スロットの後スロット（図２のSlot#m+1）をチャネル推定値の算出に使用できないものの、その基準スロット（図２のSlot#m）と前スロット（図２のSlot#m-1）との２スロットを用いてチャネル推定値を算出することができるため、通信スループットを低下させることなく、ＣＱＩの復調精度を改善することができる。
【００３９】
図３に、本実施の形態に係るチャネル推定装置１００と従来のチャネル推定装置１０とについて、ＨＳ−ＤＰＣＣＨで送信されるＣＱＩを復調及び復号した場合における誤り判定率のシミュレーション結果をそれぞれ示す。このシミュレーションでは、４５ｋｍ／ｈで移動中の無線通信装置から送信された無線信号に対してパスサーチを行う場合を想定した。なお、従来のチャネル推定装置１０では、復調開始タイミングを検出できないため、全てのスロットに対して基準スロットのみ（その前後のスロットを使用しない）に基づいてチャネル推定値を算出した。
【００４０】
図３では、本実施の形態に係るチャネル推定装置１００についてのシミュレーション結果を黒四角（◆）で、従来のチャネル推定装置１０についてのシミュレーション結果を黒丸（●）で示す。図３から、チャネル推定装置１００によるＣＱＩ誤り判定率は、従来のチャネル推定装置１０によるＣＱＩ誤り判定率よりも所要Ｅｃ／Ｎ０が１．５ｄＢほど低いことが判る。ここで、Ｅｃ／Ｎ０は受信信号電力／干渉波電力を表す比であるから、ＣＱＩ誤り判定率が同じであれば、Ｅｃ／Ｎ０が低いほどチャネル推定値の推定精度が高いことになる。
【００４１】
なお、本実施の形態に係るチャネル推定装置１００について、以下のように変形したり、応用したりしてもよい。
【００４２】
本実施の形態では、重み付け加算部１０７において基準スロットとその前後の１スロットずつとの計３スロットの受信信号にそれぞれ重み係数を乗算し、それらの乗積を加算後平均化することによって基準スロットの受信信号のチャネル推定値を算出する場合について説明したが、本発明はこの場合に限定されるものではなく、例えばチャネル推定装置１００に許容される処理遅延時間に応じてチャネル推定値の算出に使用される基準スロットの後スロットの数を変更してもよい。換言すれば、基準スロットの受信信号のチャネル推定値を算出するに際して、基準スロットと復調開始タイミングとのタイミング関係に鑑みて、通信スループットを低下させない範囲で、加算平均化の対象となる基準スロットの前後のスロットのスロット数を増やしてもよい。このように、加算平均化の対象となる基準スロットの前後のスロットのスロット数を増やすことにより、基準スロットの受信信号のチャネル推定値の推定精度を一層向上させることができる。
【００４３】
また、本実施の形態では、重み付け加算部１０７において基準スロットとその前後の１スロットずつとの計３スロットの受信信号にそれぞれ重み係数を乗算し、それらの乗積を平均化することによって基準スロットの受信信号のチャネル推定値を算出する場合について説明したが、本発明はこの場合に限定されるものではなく、例えば前記３スロットの乗積を平均化することなく、それらの和を基準スロットの受信信号のチャネル推定値として使用してもよい。
【００４４】
また、本実施の形態では、ＨＳ−ＤＰＣＣＨで送信されたＣＱＩを基地局装置に搭載されたチャネル推定装置１００が復調開始タイミングを検出して復調する場合について説明したが、本発明はこの場合に限定されるものではなく、例えばチャネル推定装置１００がＨＳ−ＤＰＣＣＨで送信されるＨＡＲＱ−ＡＣＫについて復調するようにしてもよい。チャネル推定装置１００であれば、ＨＳ−ＤＰＣＣＨで送信されるＨＡＲＱ−ＡＣＫについてもＣＱＩの場合と同様の作用・効果を奏することができる。
【００４５】
（実施の形態２）
本発明に係る実施の形態２では、３ＧＰＰで規定された通信方式である同じ無線信号を２回繰り返し送信する「Repetition Factor=2」の場合に、チャネル推定装置１００を用いてＣＱＩを復調する態様について説明する。
【００４６】
図４は、Repetition Factor=2の場合において、ＣＱＩの復調に使用される受信信号の各スロットと、ＣＱＩの復調開始タイミングと、の関係を示すタイミング図である。Repetition Factor=2の場合では、ＨＡＲＱ−ＡＣＫとＣＱＩとからなる３スロットが２回繰り返し送信された後に、即ち図４ではSlot#m-5〜Slot#mが送信された後に、ＣＱＩの復調が開始される。従って、本実施の形態では、６スロット周期でＣＱＩの復調開始タイミングが到来することになる。
【００４７】
ここで、受信信号の通信方式がRepetition Factor=2であることは、受信信号の各スロットに含まれるパイロットシンボルを復調及び復号することによって判別可能となる。従って、本実施の形態では、図示しないベースバンド部から復調タイミング検出部１０４に受信信号のチャネル情報が入力されることにより、復調タイミング検出部１０４が、受信信号の通信方式がRepetition Factor=2であることを判別し、さらにRepetition Factor=2における復調開始タイミングを検出することになる。
【００４８】
本実施の形態では、Slot#mのＣＱＩのチャネル推定値の算出においてSlot#m+1を使用できないが、Slot#m-5からSlot#m-1をそれぞれ基準スロットとする場合において、その基準スロットの前後の１スロットずつを用いてチャネル推定値を算出することができる。そのため、本実施の形態では、チャネル推定装置１００を用いることにより、通信スループットを低下させることなく、ＣＱＩの復調精度を改善することができる。
【００４９】
なお、本実施の形態において、前記実施の形態１と同様に、例えばＣＱＩの代わりにＨＳ−ＤＰＣＣＨで送信されるＨＡＲＱ−ＡＣＫについて復調するようにしてもよい。チャネル推定装置１００であれば、Repetition Factor=2で送信されるＨＡＲＱ−ＡＣＫについてもＣＱＩの場合と同様の作用・効果を奏することができる。
【産業上の利用可能性】
【００５０】
本発明に係るチャネル推定装置、基地局装置及びチャネル推定方法は、通信スループットを低下させることなく、チャネル推定値の推定精度を向上させて受信信号の復調精度を改善することができるという効果を有し、Ｗ−ＣＤＭＡ方式のディジタル無線通信システム等において有用である。
【図面の簡単な説明】
【００５１】
【図１】本発明に係るチャネル推定装置の構成を示すブロック図
【図２】実施の形態１における受信信号の各スロットと復調開始タイミングとのタイミング関係を示す図
【図３】実施の形態１に係るチャネル推定装置によってチャネル推定値の推定精度が向上する様子を示す図
【図４】実施の形態２における受信信号の各スロットと復調開始タイミングとのタイミング関係を示す図
【図５】従来のチャネル推定装置の構成を示すブロック図
【符号の説明】
【００５２】
１００  チャネル推定装置
１０１  相関器
１０２  乗算器
１０３  同相加算部
１０４  復調タイミング検出部
１０５  最大ドップラー周波数（ｆＤ）検出部
１０６  重み係数算出部
１０７  重み付け加算部
【図１】
2005223671.tif 000003
【図２】
2005223671.tif 000004
【図３】
2005223671.tif 000005
【図４】
2005223671.tif 000006
【図５】
2005223671.tif 000007